(57)【要約】【課題】  有効な発信または着信情報を判断し、容易にかつ効率よく電話帳へ電話番号を登録する電話装置を提供することにある。【解決手段】  制御部１０５は、発信または着信した電話番号が過去に記憶している発着信履歴記憶部１０８に存在するか否かを判定し、一致する発信または着信回数を回数記憶部１０７に記憶する。前記回数が電話装置設定部１１０において記憶している設定回数に達した場合に、電話帳記憶部１０９へ自動的に電話番号を登録するまたは前記電話帳記憶部１０９へ電話番号を登録することを促す内容を表示部１１２に表示する。【選択図】    図１
2012075041.tif 000002
【特許請求の範囲】
【請求項１】
電話番号に係る情報を電話帳に記憶する電話帳記憶手段と、発信または着信した相手の電話番号に係る履歴を記憶する発着信履歴記憶手段を具備する電話装置であって、
前記発着信履歴記憶手段は、記憶している電話番号の各々の発信回数または着信回数または発着信回数を記憶する回数記憶手段を有し、自電話装置から発信した場合または自電話装置への着信があった場合に、当該相手の電話番号が過去に発信または着信した電話番号であるか否かを判定し、過去に発信または着信した電話番号であると判定した場合に当該電話番号の発着信に係る回数をカウントアップし、
前記回数記憶手段に記憶されている発信回数または着信回数または発着信回数のいずれかが予め定められた回数に達した場合に、前記回数に達した電話番号を前記電話帳記憶手段に自動的に登録するまたは前記電話帳記憶手段に登録することを促す内容を自電話装置が備える表示部に表示することを特徴とする発着信履歴による電話帳登録機能を有する電話装置。
【請求項２】
請求項１に記載の電話装置であって、
前記回数記憶手段が記憶する回数は、予め定められた期間の回数であって、前記期間内に予め定められた回数を超えない場合に、
前記回数を超えない電話番号に係る情報を、前記発着信履歴記憶手段から自動的に削除するもしくは削除することを促す内容を前記表示部に表示することを特徴とする発着信履歴による電話帳登録機能を有する電話装置。
【発明の詳細な説明】
【技術分野】
【０００１】
本発明は、有効な発信または着信の情報を判定し、容易にかつ効率よく電話帳へ電話番号を登録する電話装置に関する。
【背景技術】
【０００２】
一般的な電話装置は、発信または着信した相手の電話番号を発着信履歴に記憶し、使用者の操作から電話帳に登録することが可能であるが、面倒な操作のため発着信履歴から電話帳へ登録する場面が少なく機能が十分に活用されていなかった。これを解決する技術として、発着信履歴にある電話番号を電話帳へ登録することを促す電話装置が提案されている（例えば、特許文献１）。
【先行技術文献】
【特許文献】
【０００３】
【特許文献１】特開平１０−１４５４８２号公報
【発明の概要】
【発明が解決しようとする課題】
【０００４】
しかしながら、特許文献１に記載された技術では、電話番号を電話帳へ登録することを促す表示画面を見て使用者がその都度実際の登録操作を行う必要があり、依然として登録操作が面倒であった。
【０００５】
そこで、本発明の課題は、発着信回数に応じて発着信履歴にある電話番号を電話帳へ自動的に登録できる電話装置を提供することにある。
【課題を解決するための手段】
【０００６】
上記課題を達成するための第１の発明は、電話番号に係る情報を電話帳に記憶する電話帳記憶手段と、発信または着信した相手の電話番号に係る履歴を記憶する発着信履歴記憶手段を具備する電話装置であって、前記発着信履歴記憶手段は、記憶している電話番号の各々の発信回数または着信回数または発着信回数を記憶する回数記憶手段を有し、自電話装置から発信した場合または自電話装置への着信があった場合に、当該相手の電話番号が過去に発信または着信した電話番号であるか否かを判定し、過去に発信または着信した電話番号であると判定した場合に当該電話番号の発着信に係る回数をカウントアップし、前記回数記憶手段に記憶されている発信回数または着信回数または発着信回数のいずれかが予め定められた回数に達した場合に、前記回数に達した電話番号を前記電話帳記憶手段に自動的に登録するまたは前記電話帳記憶手段に登録することを促す内容を自電話装置が備える表示部に表示することを特徴とする。
【０００７】
第２の発明は、第１の発明の電話装置であって、前記回数記憶手段が記憶する回数は、予め定められた期間の回数であって、前記期間内に予め定められた回数を超えない場合に、前記回数を超えない電話番号に係る情報を、前記発着信履歴記憶手段から自動的に削除するもしくは削除することを促す内容を前記表示部に表示することを特徴とする。
【発明の効果】
【０００８】
本発明によれば、発信回数または着信回数の多い電話番号を電話帳に自動的に登録するので、電話帳データのメンテナンスに係る労力を軽減できるという効果がある。
【図面の簡単な説明】
【０００９】
【図１】本発明の電話装置の内部ブロック構成図および全体構成図
【図２】必要な発着信情報を判定し電話帳へ登録する動作フローチャート
【図３】不要な発着信情報を発着信履歴から削除する動作フローチャート
【発明を実施するための形態】
【００１０】
以下、本発明の実施形態について説明する。図１は、本発明の電話装置の内部ブロック構成を含む全体構成図である。
【００１１】
電話装置１００、通信端末４００、４０１の発信動作または着信動作は、ネットワーク２００を介したサーバ３００において管理される。前記電話装置１００は、ネットワーク２００とデータ送受信を行うネットワーク制御部１０１、音声を処理する音声制御部１０２、音声制御部１０２に制御され音声を出力するスピーカ１０３、音声制御部１０２に制御され音声を入力するマイク１０４、ネットワーク制御部１０１で受信したデータを解析するネットワークデータ解析部１０６、発着信情報を記憶し、発信または着信した電話番号を過去の発着信情報と照合し発着信に係る回数をカウントアップする機能を有する発着信履歴記憶部１０８、発着信履歴記憶部１０８でカウントアップされた回数を記憶する回数記憶部１０７、名称または電話番号を記憶する電話帳記憶部１０９、電話装置１００の設定を記憶する電話装置設定部１１０、使用者の指示を入力するキー操作部１１１、使用者の情報を表示する表示部１１２、および各部を制御する制御部１０５から構成される。
【００１２】
キー操作部１１１を介し発信動作終了時、またはネットワーク制御部１０１を介し着信動作終了時に制御部１０５は、発着信履歴記憶部１０８で発信または着信した電話番号が過去に発信または着信した電話番号として発着信履歴記憶部１０８に存在するか否かを判定し、過去に発信または着信した電話番号であると判定した場合に、当該電話番号の発着信に係る回数をカウントアップする。カウントアップされた回数は、回数記憶部１０７において記憶される。
【００１３】
制御部１０５は、回数記憶部１０７に記憶されている発信回数または着信回数または発着信回数のいずれかが、電話装置設定部１１０で予め定められた回数に達した場合に、電話帳記憶部１０９に発信または着信した電話番号を自動的に登録するまたは表示部１１２に登録を促す内容を表示する。
【００１４】
制御部１０５は、回数記憶部１０７に記憶されている発信回数または着信回数または発着信回数のいずれかが、電話装置設定部１１０で予め定められた期間内に、前記電話装置設定部１１０で予め定められた回数を超えない場合に、発着信履歴記憶部１０８から自動的に削除するまたは表示部１１２に削除を促す内容を表示する。
【００１５】
次に、電話装置１００の詳細な動作フローについて説明する。図２は、本発明の請求項１に記載する必要な発着信情報を判定し電話帳へ登録する処理に係る動作フローチャートである。本フローチャートは、制御部１０５がキー操作部１１１からの発信動作またはネットワーク制御部１０１からのデータをネットワークデータ解析部１０６において解析した着信動作から開始し（Ｓ２００）、発信動作または着信動作が終了したか否かを判定（Ｓ２０１）する。
【００１６】
発信動作または着信動作が継続している場合は（Ｓ２０１、Ｎｏ）、発信動作または着信動作の終了を監視する。発信動作または着信動作が終了した場合は（Ｓ２０１、Ｙｅｓ）、発信または着信した電話番号が電話帳記憶部１０９に登録されているか否かを判定する（Ｓ２０２）。
【００１７】
発信または着信した電話番号が電話帳記憶部１０９に登録されている場合は（Ｓ２０２、Ｙｅｓ）、当該電話番号の発着信に係る未使用期間の経過時間クリア後に（Ｓ２０４）、電話帳記憶部１０９に登録されている名称と当該電話番号を発着信履歴記憶部１０８に記憶し（Ｓ２１２）処理を終了する。
【００１８】
発信または着信した電話番号が電話帳記憶部１０９に登録されていない場合は（Ｓ２０２、Ｎｏ）、発着信履歴記憶部１０８で前記電話番号が過去に発信または着信した電話番号であるか否かを判定し（Ｓ２０３）、過去に発信または着信した電話番号が１回以上あると判定した場合は（Ｓ２０３、Ｙｅｓ）、当該電話番号の発着信に係る回数をカウントアップし回数記憶部１０７に記憶する（Ｓ２０５）。過去に発信または着信した電話番号が１回未満と判定した場合は（Ｓ２０３、Ｎｏ）、回数記憶部１０７に記憶される回数判定（Ｓ２０６）を行う。なお、本実施例では（Ｓ２０６）において、過去の発信または着信の判定回数を規定回数としているが、電話装置設定部１１０で設定を設け、可変としてもよい。
【００１９】
回数記憶部１０７にカウントアップされた回数が、電話装置設定部１１０で予め定められた回数に達した場合は（Ｓ２０６、Ｙｅｓ）、電話装置設定部１１０に記憶されている自動登録モードを判定し（Ｓ２０８）、設定に従い登録動作を行う。前記回数に達していない場合は（Ｓ２０６、Ｎｏ）、未使用期間判定処理（Ｓ２０７）を行う。前記未使用期間判定処理の詳細については、図３を用いて後述する。
【００２０】
電話装置設定部１１０において記憶された自動登録モード設定が自動登録の場合は（Ｓ２０８、Ｙｅｓ）、発信または着信した電話番号を電話帳記憶部１０９に自動登録する（Ｓ２０９）。前記自動登録モード設定が自動登録でない場合は（Ｓ２０８、Ｎｏ）、表示部１１２において前記電話番号を電話帳記憶部１０９へ登録するか否かを電話装置の使用者に対して選択を促す画面を表示する（Ｓ２１０）。
【００２１】
制御部１０５は、電話帳記憶部１０９において、発信または着信した電話番号の登録が完了したか否かを判定し（Ｓ２１１）、前記電話帳記憶部１０９において当該電話番号の登録が完了した場合は（Ｓ２１１、Ｙｅｓ）、前記電話帳記憶部１０９において登録されている名称と当該電話番号を発着信履歴記憶部１０８に記憶する（Ｓ２１２）。前記電話帳記憶部１０９において当該電話番号の登録が完了していない場合は（Ｓ２１１、Ｎｏ）、当該電話番号を発着信履歴記憶部１０８に記憶する（Ｓ２１３）。
【００２２】
図３は、本発明の請求項２に記載する不要な発着信情報を発着信履歴から削除する処理に係る動作フローチャートである。本フローチャートは、回数記憶部１０７において記憶されている発着信に係る回数が、電話装置設定部１１０において予め定められた回数に達していない場合に開始し（Ｓ３００）、発信または着信した電話番号が発着信履歴記憶部１０８において記憶された時点から測定される未使用期間が電話装置設定部１１０において予め定められた規定時間を超えたか否かを判定する（Ｓ３０１）。
【００２３】
なお、本実施例では（Ｓ３０１）において、未使用期間に応じて当該電話番号を削除対象とするか否かを判定しているが、未使用期間に係らず当該電話番号を削除対象としてもよい。
【００２４】
未使用期間が規定時間を超えていないと制御部１０５が判断した場合は（Ｓ３０１、Ｎｏ）、発信または着信した電話番号を発着信履歴記憶部１０８に記憶する（Ｓ３０６）。未使用期間が規定時間を越えたと制御部１０５が判断した場合は（Ｓ３０１、Ｙｅｓ）、電話装置設定部１１０において設定された自動削除モードを判定し（Ｓ３０２）、自動削除モードの設定に従い発信または着信の履歴削除を行う。
【００２５】
電話装置設定部１１０で設定された自動削除モード設定が自動削除の場合は（Ｓ３０２、Ｙｅｓ）、発着信履歴記憶部１０８から発信または着信履歴の電話番号を削除する（Ｓ３０３）。前記自動削除モード設定が自動削除でない場合は（Ｓ３０２、Ｎｏ）、表示部１１２において発信または着信した電話番号を発着信履歴記憶部１０８から削除するか否かを電話装置の使用者に対して選択を促す画面を表示する（Ｓ３０４）。なお、本実施例では（Ｓ３０３）、（Ｓ３０４）において、発着信履歴記憶部１０８から当該電話番号を削除しているが、電話装置設定部１１０において設定を設け、設定に従い電話帳記憶部１０９から当該電話番号を削除してもよい。
【００２６】
制御部１０５は、発信または着信した電話番号が発着信履歴記憶部１０８から削除が完了したか否かを判定し（Ｓ３０５）、前記発着信履歴記憶部１０８から当該電話番号の削除が完了しなかった場合は（Ｓ３０５、Ｎｏ）、当該電話番号を発着信履歴記憶部１０８において記憶する（Ｓ３０６）。前記発着信履歴記憶部１０８から当該電話番号の削除が完了した場合は（Ｓ３０５、Ｙｅｓ）、処理を終了する。
【００２７】
なお、本実施例においては、本装置はＩＰ電話装置システムを構成する単体のＩＰ電話装置として説明したが、本発明はこれに限定されない。例えば、アナログ網やＩＳＤＮ網用の電話装置一般に適用可能である。
【符号の説明】
【００２８】
１００…電話装置、１０１…ネットワーク制御部、１０２…音声制御部、１０３…スピーカ、１０４…マイク、１０５…制御部、１０６…ネットワークデータ解析部、１０７…回数記憶部、１０８…発着信履歴記憶部、１０９…電話帳記憶部、１１０…電話装置設定部、１１１…キー操作部、１１２…表示部、２００…ネットワーク、３００…サーバ、４００〜４０１…通信端末
【図１】
2012075041.tif 000003
【図２】
2012075041.tif 000004
【図３】
2012075041.tif 000005